(57)【特許請求の範囲】
【請求項１】
印影画像を形成したマスクを介して、スタンプユニットの表面に設けた光硬化樹脂を露光し、前記光硬化樹脂の印影に相当する部分を硬化させるスタンプ作成装置であって、
前記スタンプユニットが着脱自在に装着される装着部と、
前記装着部を覆うように設けられ、前記マスクが重ねられた前記スタンプユニットに光が導入される光導入部を形成した蓋体と、
前記蓋体に組み込まれ、前記光導入部を開閉するシャッターと、
前記スタンプユニットの露光時間を設定するためのタイマー機構と、
前記タイマー機構に連動し、前記露光時間に応じて、前記シャッターを開放状態から閉塞状態に作動させるシャッター機構と、を備えたことを特徴とするスタンプ作成装置。
【請求項２】
光の強度を測定する光強度測定部と、
前記光強度測定部の測定結果に基づいて前記光硬化樹脂の適正露光時間を設定させるための露光時間指標部と、を更に備えたことを特徴とする請求項１に記載のスタンプ作成装置。
【請求項３】
前記光強度測定部は、前記光の強度に応じて変色する光感応材を有し、
前記露光時間指標部は、前記光感応材の変色状態を表した設定表示部を有していることを特徴とする請求項２に記載のスタンプ作成装置。
【請求項４】
前記シャッター機構は、
前記シャッターの開閉動作をガイドするシャッターガイド部と、
前記シャッターを開放位置にロックするロック機構と、
前記シャッターを閉塞位置に向かって付勢するシャッター付勢部と、
前記タイマー機構に連動して、前記露光時間が経過後に前記ロック機構によるシャッターのロック状態を解除させるシャッター移動手段と、を有していることを特徴とする請求項１ないし３のいずれかに記載のスタンプ作成装置。
【請求項５】
前記タイマー機構は、
前記露光時間を計時するタイマー本体と、
設定された前記露光時間に応じてホーム位置から設定位置まで移動し、前記露光時間の経過に伴い、前記設定位置からホーム位置に復帰する操作部と、を有していることを特徴とする請求項４に記載のスタンプ作成装置。
【請求項６】
前記シャッター移動手段は、
前記操作部の操作に連動して回転する回転体と、
前記回転体に設けられ、前記操作に連動して前記シャッターを前記閉塞位置から前記開放位置に移動させる移動カム部と、
前記回転体に設けられ、前記復帰動作に連動して前記ロック機構によるシャッターのロック状態を解除させる解除部と、を含んでいることを特徴とする請求項５に記載のスタンプ作成装置。
【請求項７】
前記スタンプユニットおよび前記マスクを押圧する紫外線を透過可能な露光カバーと、
前記装着部に設けられ、前記スタンプユニットを離脱方向に付勢する付勢手段と、
前記露光カバーを、前記付勢手段の抗力によりロック・アンロックするロック手段と、を更に備えたことを特徴とする請求項１ないし６のいずれかに記載のスタンプ作成装置。
【発明の詳細な説明】
【技術分野】
【０００１】
本発明は、マスクを介して光硬化樹脂を部分的に硬化させることにより、所望のスタンプを簡単に作成するためのスタンプ作成装置に関するものである。
【背景技術】
【０００２】
従来、この種のスタンプ作成装置として、太陽光によって感光性樹脂板を露光して露光部分を硬化させて印面とするものが知られている（特許文献１）。この装置は、直方体状の装置本体に、黒色弾性部材上に感光性樹脂板と印影が描かれたネガフィルムとを載置した印面部材をセットする露光台と、露光台にセットされた部材を位置決め固定するための透明カバーと、これらを遮光するための遮光カバーと、露光時間を設定するためのタイマーと、を備えている。ユーザーは、感光性樹脂板およびネガフィルムを載置した黒色弾性部材を露光台にセットし、遮光カバーを閉じた状態で装置を屋外に持ち出し、タイマーで露光時間を設定してから遮光カバーを開いて露光させる。そして、露光時間が終了すると、再び遮光カバーを閉じて屋内に戻り、露光によって硬化した部分以外を水または溶剤で洗浄除去することによって、印影部分が他部分より突出した印面を作成する。
【先行技術文献】
【特許文献】
【０００３】
【特許文献１】特開平７−１４４４６３号公報
【発明の概要】
【発明が解決しようとする課題】
【０００４】
しかしながら、上記のスタンプ作成装置では、ユーザーが遮光カバーの開閉操作を行わなければならないため、ユーザーが露光時間中に装置を離れた場合には、タイマーが設定時間の終了を知らせても、露光を終了することができず、露光過剰となるおそれがあった。そのため、露光過剰により印影が印面に精度良く形成されないという問題があった。したがって、設定された露光時間通りに正確に露光させるためには、ユーザーは、タイマーが露光時間の終了を知らせるまで装置の傍を離れることができず、作業効率が悪かった。
また、太陽光に含まれる紫外線量は、季節、気象条件、太陽の位置等により大きく異なるため、紫外線量を正確に把握できないまま、露光時間を設定せざるを得なかった。これによって、印影部分の膨張や突出不良によって、印面が精度良く形成されないという問題があった。
【０００５】
本発明は、設定された露光時間通りに露光を行うことができ、良好な印面を有するスタンプを作成することができるスタンプ作成装置を提供するものである。
【課題を解決するための手段】
【０００６】
本発明のスタンプ作成装置は、印影画像を形成したマスクを介して、スタンプユニットの表面に設けた光硬化樹脂を露光し、光硬化樹脂の印影に相当する部分を硬化させるスタンプ作成装置であって、スタンプユニットが着脱自在に装着される装着部と、装着部を覆うように設けられ、マスクが重ねられたスタンプユニットに光が導入される光導入部を形成した蓋体と、蓋体に組み込まれ、光導入部を開閉するシャッターと、スタンプユニットの露光時間を設定するためのタイマー機構と、タイマー機構に連動し、露光時間に応じて、シャッターを開放状態から閉塞状態に作動させるシャッター機構と、を備えたことを特徴とする。
【０００７】
この構成によれば、スタンプユニットの印面形成に際し、タイマー機構に連動してシャッター機構が作動するため、シャッターの開閉操作をユーザーが行う必要がなく、設定された露光時間通りに精度良く印面を露光することができる。これによって、マスクに対応する部分の光硬化樹脂を硬化させ、簡単に、且つ、精度良く、印面を形成することができる。
【０００８】
この場合、光の強度を測定する光強度測定部と、光強度測定部の測定結果に基づいて光硬化樹脂の適正露光時間を設定させるための露光時間指標部と、を更に備えたことが好ましい。
【０００９】
また、この場合、光強度測定部は、光の強度に応じて変色する光感応材を有し、露光時間指標部は、光感応材の変色状態を表した設定表示部を有していることが好ましい。
【００１０】
これらの構成によれば、光が自然光である場合でも、光強度測定部の変色状態に基づいて紫外線の強度を把握することができる。このため、露光時間指標部の設定表示部に基づいて光感応材の変色状態に合わせて時間設定を行うことができ、光硬化樹脂の適切な露光時間を簡単に設定することができる。
【００１１】
この場合、シャッター機構は、シャッターの開閉動作をガイドするシャッターガイド部と、シャッターを開放位置にロックするロック機構と、シャッターを閉塞位置に向かって付勢するシャッター付勢部と、タイマー機構に連動して、露光時間が経過後にロック機構によるシャッターのロック状態を解除させるシャッター移動手段と、を有していることが好ましい。
【００１２】
また、この場合、タイマー機構は、露光時間を計時するタイマー本体と、設定された露光時間に応じてホーム位置から設定位置まで移動し、露光時間の経過に伴い、設定位置からホーム位置に復帰する操作部と、を有していることが好ましい。
【００１３】
さらに、この場合、シャッター移動手段は、操作部の操作に連動して回転する回転体と、回転体に設けられ、操作に連動してシャッターを閉塞位置から開放位置に移動させる移動カム部と、回転体に設けられ、復帰動作に連動してロック機構によるシャッターのロック状態を解除させる解除部と、を含んでいることが好ましい。
【００１４】
これらの構成によれば、タイマー機構の操作部の回転動作に連動して、シャッター機構によるシャッターの開閉が行われる。このため、設定された時間に従ってシャッターが開閉し、ユーザーによるシャッターの開閉操作が不要になる。これによって、設定された時間に従ってスタンプユニットが露光されるため、精度良い印面を作成することができる。
【００１５】
さらに、スタンプユニットおよびマスクを押圧する紫外線を透過可能な露光カバーと、装着部に設けられ、スタンプユニットを離脱方向に付勢する付勢手段と、露光カバーを、付勢手段の抗力によりロック・アンロックするロック手段と、を更に備えることが好ましい。
【００１６】
この構成によれば、スタンプユニットおよびマスクを装着部にセットし、露光カバーを閉塞すると、スタンプユニットおよびマスクは、露光カバーを受けとして付勢手段により付勢される。さらに、閉塞された露光カバーは、ロック手段によってロックされる。これにより、スタンプユニットとマスクとを、密着状態で精度良く位置決め固定することができる。一方、ロック手段を解除すると、付勢手段により、露光カバーが跳ね上げられてスタンプユニットが装着部から浮き上がった状態となる。このため、スタンプユニットを、装着部から簡単に取り外すことができる。したがって、装着部に対してスタンプユニットの着脱を容易に行うことができる。
【図面の簡単な説明】
【００１７】
【図１】スタンプユニットの外観斜視図である。
【図２】本実施形態に係るスタンプ作成装置の本体ケースの（ａ）外観斜視図、（ｂ）側面断面図、である。
【図３】本実施形態に係るスタンプ作成装置の蓋ケースの（ａ）表側の外観斜視図、（ｂ）裏側の外観斜視図、（ｃ）側面断面図である。
【図４】本実施形態に係るスタンプ作成装置における、スタンプユニットのセット方法を示す説明図である。
【図５】本実施形態に係るスタンプ作成装置における、シャッター開閉動作を示す説明図である。
【図６】第１変形例における本体ケースの外観斜視図である。
【図７】第２変形例における本体ケースの外観斜視図である。
【発明を実施するための形態】
【００１８】
以下、添付の図面を参照して、本発明の実施形態に係るスタンプ作成装置について説明する。このスタンプ作成装置は、表面に紫外線硬化樹脂（光硬化樹脂）が設けられたスタンプユニットを、印影画像を作成したマスクを介して露光し、印影画像に相当する部分を硬化させることによって印面を形成するものである。そこで先ず、紫外線硬化樹脂を有するスタンプユニットについて説明し、その後、スタンプ作成装置について説明する。
【００１９】
図１に示すように、スタンプユニット１は、基体２と、基体２の一方の表面に取り付けた印面形成部３とから構成されている。基体２は、基体本体４と、基体本体４の裏面中央に突設した接合突起５とからなり、樹脂等で一体に形成されている。印面形成部３は、紫外線によって硬化する紫外線硬化樹脂６と、紫外線の影響を受けない樹脂プレート７と、薄手のスポンジ（発泡ウレタン）８と、を順に積層して、構成されている。このように構成されたスタンプユニット１は、印面形成後、接合突起５の部分で台木２０（仮想線で図示）に装着され、スタンプとして使用される。紫外線硬化樹脂６は、マスク９を介して紫外線に露光することにより硬化し、最終的に印面となる。なお、印面形成部３は、長方形に形成されているが、正方形や、円形等のいずれの形状であってもよい。また、基体２、印面形成部３が台木２０と一体となったものをスタンプユニット１としても良い。
【００２０】
マスク９は、紫外線透過性の素材のフィルム状のマスクシートに、紫外線が透過しない塗料を塗布し、印影画像に相当する部分の塗料を除去することにより構成されている。マスク９を介して印面形成部３に紫外線を当てて露光すると、印影画像の画線部分から紫外線が透過する。これにより、紫外線硬化樹脂６は、印影画像に対応する部分が硬化する。
【００２１】
次に、図２ないし図５を参照して、スタンプ作成装置１０について説明する。スタンプ作成装置１０は、本体ケース１１と、本体ケース１１を覆う蓋ケース１２（蓋体）と、本体ケース１１と蓋ケース１２との間に介設した露光カバー１３と、を備え、例えば、全体として偏平な直方体形状に形成されている。なお、露光カバー１３を設けることなく、蓋ケース１２を露光カバー１３として使用してもよい。
【００２２】
図２に示すように、本体ケース上面１１ａには、スタンプユニット１を着脱自在に装着するための装着部１５が形成されている。装着部１５は、本体ケース上面１１ａにスタンプユニット１と相補的形状となるように窪入形成されている。装着部１５の底面の中央には、スタンプユニット１の接合突起５が挿入されるための位置決め孔１４が形成されている。さらに、位置決め孔１４には、挿入した接合突起５を介して、スタンプユニット１を離脱方向に付勢するコイルばね（付勢手段）１６が組み込まれている。
【００２３】
また、本体ケース１１には、装着部１５の手前の開口部１８に位置して、後述する露光カバー１３を閉状態にロックするロック手段１７が配設されている。ロック手段１７は、閉状態の露光カバー１３を係止するロック爪部１９と、ロック爪部１９を係止方向に付勢する板ばね部２１とから成り、本体ケース１１に一体に形成されている。露光カバー１３を閉塞すると、露光カバー１３の先端がロック爪部１９の突起爪２２に係止（ロック）される。一方、この状態から、ロック爪部１９を手前に引くと板ばね部２１の抗力により、露光カバー１３の先端が突起爪２２から外れると共に露光カバー１３が跳ね上げられ、上記のコイルばね１６により、スタンプユニット１が浮き上がるようになっている。
【００２４】
露光カバー１３は、上記の装着部１５を覆うように開閉自在に構成されたカバー本体２３と、カバー本体２３を本体ケース上面１１ａに開閉自在に支持するヒンジ部２４と、を有している。カバー本体２３は、紫外線を透過可能な、例えば透明なガラス板で構成され、露光カバー１３を開放した状態で、装着部１５にスタンプユニット１およびマスク９を装着すると、上記のコイルばね１６により、スタンプユニット１およびマスク９は僅かに浮いた状態にセットされる。この状態から露光カバー１３を閉塞すると、コイルばね１６の抗力により、スタンプユニット１およびマスク９は、露光カバー１３に押圧される。さらに露光カバー１３による押圧が進み、本体ケース上面１１ａとマスク９の表面とが面一になったところで、露光カバー１３がロック手段１７によりロックされる。これにより、スタンプユニット１とマスク９とが密着し、且つこれらが装着部１５に位置決めされてセットされる（図２（ｂ）参照）。
【００２５】
蓋ケース１２は、図３に示すように、天壁１２ａから垂下した周壁１２ｂの部分で本体ケース１１に着脱可能に、且つ露光カバー１３および本体ケース上面１１ａを開閉するように構成されている。また、蓋ケース１２の天壁１２ａには、上記の装着部１５に対応する部分に光導入部２５が形成されている。光導入部２５は、天壁１２ａの一部を例えば、方形に切り取るように形成した開口部であり、この部分から装着部１５に装着したスタンプユニット１に紫外線（自然光）が導入される。
【００２６】
また、蓋ケース１２の天壁１２ａ上面には、左部手前に位置して、紫外線硬化樹脂６を露光するための露光時間を設定するタイマー機構２６が組み込まれている。タイマー機構２６の周囲には、露光時間の指標を示すための設定表示部２７（露光時間指標部）が設けられ、設定表示部２７の右脇には、光（紫外線）の強度を測定するためのシート状の光感応材２８が貼着されている（図３（ａ）参照）。さらに、蓋ケース１２の裏側には、光導入部２５の開閉を行うシャッター２９と、シャッター２９の開閉を行うシャッター機構３１が配設されている（図３（ｂ）参照）。
【００２７】
タイマー機構２６は、蓋ケース１２に固定されたタイマー本体３２と、露光時間を設定する操作ダイヤル３３（操作部）と、操作ダイヤル３３がタイマー本体３２に対して回転操作するための支軸３４と、を備えている。操作ダイヤル３３の支軸３４には、後述するシャッター移動手段３５の回転体３６が軸着されている（図３（ｃ）参照）。すなわち、操作ダイヤル３３とシャッター移動手段３５が連動する構成となっている。（詳細は後述する）。
【００２８】
タイマー本体３２は、操作ダイヤル３３の回転動作に伴う支軸３４の回転を受けて弾性力を蓄積させるぜんまい（図示省略）と、ぜんまいに蓄積された弾性力を動力源として支軸３４を一定速度で逆回転させる調速機構部（図示省略）と、弾性力を調速機構部に伝達する動力伝達機構（図示省略）と、を備えている。
【００２９】
操作ダイヤル３３には、つまみ３７が突設されており、ユーザーは、つまみ３７を把持して操作ダイヤル３３をホーム位置から回転操作することで、露光時間が設定できるようになっている。操作ダイヤル３３を回転させて露光時間を設定すると、露光時間の計時を開始し、操作ダイヤル３３がホーム位置に戻った（回転停止）ところで、露光時間の計時が終了する。すなわち、操作ダイヤル３３が、設定された位置からホーム位置まで復帰動作（逆転）することにより、露光時間の計時を行う。このとき、操作ダイヤル３３と共にその支軸３４も回転し、後述するシャッター移動手段３５を介して、シャッター２９の開閉動作が行われる。
【００３０】
図３（ｂ）に示すように、シャッター２９は、光導入部２５を開閉するシャッター板３８と、シャッター板３８を保持するシャッターホルダー３９とを有し、樹脂等で一体に形成されている。シャッター板３８は、光導入部２５より一回り大きく形成され、蓋ケース１２の裏面に密接するように配設されている。シャッターホルダー３９は、シャッター板３８の一方の長辺側に連設されており、シャッターホルダー３９の基部側には、後述するシャッター移動手段３５に係合する係合突起４１が形成されている。そして、シャッター２９は、光導入部２５を開放する開放位置と、光導入部２５を覆う閉塞位置との間で、進退自在に構成されている。なお、シャッター板３８と光導入部２５との隙間からの光漏れを防止するために遮光効果のある緩衝材等を設けることが好ましい。また、シャッター２９は、回動によって光導入部２５を開閉する形態であってもよい。
【００３１】
シャッター機構３１は、シャッター２９の開閉動作をガイドするシャッターガイド部４２と、シャッター２９を閉塞位置に向かって付勢するシャッター付勢部４３と、開放位置に移動したシャッター２９を開放位置にロックするロック機構４４と、タイマー機構２６に連動してシャッター２９のロック状態を解除させるシャッター移動手段３５と、を備えている。
【００３２】
シャッターガイド部４２は、蓋ケース１２の裏面に突設された一本のガイドレールで構成され、シャッター２９の長手方向の中央に位置するように形成されている。一方、シャッター板３８およびシャッターホルダー３９には、ガイド溝（図示省略）が形成されており、シャッターガイド部４２は常にガイド溝に係合してシャッター２９の開閉動作、すなわち開放位置と閉塞位置との間の進退動作をガイドする。シャッター付勢部４３は、例えば、樹脂製の板ばねであり、一方の端部がシャッターホルダー３９に連設され、他方の端部が蓋ケース１２の周壁１２ｂ内面に当接している。この場合、シャッター付勢部４３は、シャッターホルダー３９と一体に成形され、シャッターホルダー３９から斜めに延在している。また、シャッター付勢部４３の先端には、蓋ケース１２の周壁１２ｂに対しスライド自在に当接するように、摺接突起４５が設けられている（図５参照）。
【００３３】
ロック機構４４は、シャッター２９の係合突起４１が係止されるロック突起５１と、上面の半部にロック突起５１を突設した突起ベース５２と、突起ベース５２の内部に組み込まれ、突起ベース５２を突出方向に付勢するロックばね（図示省略）と、を有している（図５参照）。ロック突起５１は、係合突起４１の乗り越えを円滑にすべく、係合突起４１側の面が傾斜面となっている。同様に、突起ベース５２は、回転体３６の解除片部４９による沈み込みを円滑にすべく、解除片部４９側の面が傾斜面となっている。
【００３４】
シャッター移動手段３５は、蓋ケース１２の裏側において、操作ダイヤル３３の支軸３４に軸着した回転体３６を有している。回転体３６は、大径且つ周方向に長い大円弧部４６と、小径且つ大円弧部４６の残余の部分に連なる小円弧部４７と、大円弧部４６と小円弧部４７との間の一方の段部となる径方向カム部（移動カム部）４８と、大円弧部４６と小円弧部４７との間の他方の段部からクランク状に周方向に延びる解除片部（解除部）４９と、で一体に形成されている。大円弧部４６は、操作ダイヤル３３における露光時間の設定範囲に略対応しており、係合突起４１は、径方向カム部４８に続いて大円弧部４６に摺接する。
【００３５】
シート状の光感応材２８は、蓋ケース１２の天壁１２ａの上面に貼付され、光の強度を測定する。光感応材２８は、例えば、変色するフォトクロミック化合物等で構成されており、紫外線の強度に応じて可逆的に変色する。この性質を利用して、太陽光に含まれる紫外線が、季節、天候、太陽の位置等の条件により変動しても、光感応材２８の変色状態から紫外線の強度を認識することができる。また、天壁１２ａの上面に貼付された設定表示部２７は、タイマー機構２６の操作ダイヤル３３の周囲を囲むようにして、分刻みの時間表示と共に色の変化を段階的に表しており、変色状態、すなわち紫外線の強度に応じて、露光時間の設定が簡単且つ正確に行えるようになっている。したがって、ユーザーは、印面形成に際して、光感応材２８の変色状態を確認することにより、操作ダイヤル３３を回転させて紫外線硬化樹脂６が硬化するための適切な露光時間の設定を容易に行うことができる。
【００３６】
次に、図４および図５を参照して、スタンプユニット１の印面形成時の操作手順について説明する。
先ず、ユーザーは、スタンプユニット１表面の紫外線硬化樹脂６にマスク９を載置し、スタンプユニット１の接合突起５を装着部１５の位置決め孔１４の位置に合わせて嵌めこむ（図４（ａ）参照）。続いて、露光カバー１３を倒しこみ、スタンプユニット１およびマスク９を押圧するようにして、露光カバー１３をロック爪部１９にロックする。これによって、露光カバー１３を受けとしてコイルばね１６に付勢された、紫外線硬化樹脂６とマスク９とが相互に密接する（図４（ｂ）参照）。このようにして、本体ケース１１にスタンプユニット１がセットされたら、本体ケース１１に蓋ケース１２を装着する（図４（ｃ）参照）。そして、蓋ケース１２の光感応材２８の変色状態をチェックし、操作ダイヤル３３により紫外線硬化樹脂６が硬化するための適切な露光時間を設定する。このとき、操作ダイヤル３３を設定表示部２７の該当位置まで回転させると、シャッター２９が開いて光導入部２５から露光が開始される。
【００３７】
図５（ａ）および（ｂ）に示すように、操作ダイヤル３３の設定操作（回転）に連動して、径方向カム部４８は、シャッター２９の係合突起４１に係合し、シャッター２９を閉塞位置から開放位置に移動させる。開放位置に達したシャッター２９は、係合突起４１がロック突起５１に係合し、シャッター２９を開放位置にロックする（図５（ｃ）参照）。
一方、図５（ｄ）に示すように、露光時間の経過に伴い、操作ダイヤル３３が復動動作（逆回転）に移行すると、係合突起４１は、大円弧部４６に摺接している状態から、径方向カム部４８を経て小円弧部４７に対峙する状態となる。さらに、復動動作が進み復動動作の終了直前になると、解除片部４９が係合突起４１に接近し、ロック機構４４を解除する。ロック機構４４が解除されると、シャッター２９は、シャッター付勢部４３により瞬時に閉塞位置に移動する。
【００３８】
露光終了後、蓋ケース１２を開き、本体ケース１１のロック爪部１９を手前に引くと、板ばね部２１の抗力により露光カバー１３の先端が突起爪２２から外れて露光カバー１３が跳ね上がり、コイルばね１６によりスタンプユニット１が装着部１５から離脱する。なお、スタンプユニット１は露光終了後に、印面を洗浄して未硬化部分を除去した後、台木２０に取り付けることによってスタンプが完成する。
【００３９】
なお、本実施形態では、蓋ケース１２の天壁１２ａ上面に露光時間の指標を示すための設定表示部２７を設けたが、設定表示部２７は別部材であってもよい。例えば、フォトクロミック化合物等で構成された光感応材２８と、露光時間の指標を示すための設定表示部２７と、を付属部品として構成してもよい。
【００４０】
次に、図６および図７を参照して、本実施形態におけるスタンプ作成装置の変形例について説明する。本変形例におけるスタンプ作成装置１０は、複数のスタンプユニット１を同時に露光可能とするものであり、本実施形態と同様に、本体ケース１１と、本体ケース１１を覆う蓋ケース１２（蓋体）と、本体ケース１１と蓋ケース１２との間に介設した露光カバー１３と、を備えている。
なお、本実施形態との重複記載を避けるべく、異なる部分のみを以下に説明する。
【００４１】
図６に示すように、第１変形例における本体ケース１１は、本体ケース上面１１ａにスタンプユニット１を着脱自在に装着するための装着部１５が形成されている。装着部１５の底面中央には、スタンプユニット１の接合突起５が挿入されるための位置決め溝５３を有している。位置決め溝５３は、装着部１５の長さ方向に延びた直線状の溝であり、スタンプユニット１の接合突起５が係合する幅に形成されている。図６に示すように、装着部１５は、位置決め溝５３に位置決めするようにして長さ方向にスタンプユニット１を複数（図示では２つ）並べてセット可能に構成されている。これにより、複数のスタンプユニット１を同時に露光させることができる。なお、図示のものはスタンプユニット１が２つであるが、３つ以上のスタンプユニット１をセットしてもよく、また、１つのみセットして露光させてもよい。
【００４２】
次に図７に示すように、第２変形例における本体ケース１１は、本体ケース上面１１ａにスタンプユニット１を着脱自在に装着するための装着部１５が形成されている。装着部１５の底面中央には、スタンプユニット１の接合突起５が挿入されるための位置決め孔１４が幅方向に並んで２つ形成され、装着部１５に対して幅方向にスタンプユニット１を２つ並べてセット可能に構成されている。これにより、２つのスタンプユニット１を同時に露光させることができる。なお、スタンプユニット１を１つのみセットして露光させてもよい。
【００４３】
以上の構成によれば、タイマー機構２６に連動してシャッター機構３１が作動するため、シャッター２９の開閉操作をユーザーが行う必要がなく、設定された露光時間通りに印面を露光させ、精度の良い印面を形成することができる。また、光感応材２８の変色状態に基づいて紫外線の強度を把握することができるため、紫外線硬化樹脂６が硬化するための適切な露光時間を簡単に設定することができる。
【００４４】
＜他の変形例＞
なお、マスク９としてインクリボンを用いるようにしてもよい。この場合、例えば、テーププリンターを利用し、テーププリンターあるいはこれに接続したパーソナルコンピューターから印影画像を入力し、熱転写印刷を実施する。そして、印刷により、ポジ画像部分が除去されてネガ画像が形成されたインクリボンをマスク９とする。また、その際、ポジ画像はテープに形成されて、スタンプユニット１の背面に貼着する印影画像の表示シールとして利用する。
【符号の説明】
【００４５】
１…スタンプユニット  ６…紫外線硬化樹脂  ９…マスク  １０…スタンプ作成装置  １５…装着部  １７…ロック手段  １１…本体ケース  １２…蓋ケース  １３…露光カバー  ２５…光導入部  ２６…タイマー機構  ２７…設定表示部  ２８…光感応材  ２９…シャッター  ３１…シャッター機構  ３２…タイマー本体  ３３…操作ダイヤル  ３５…シャッター移動手段  ３６…回転体  ４２…シャッターガイド部  ４３…シャッター付勢部  ４４…ロック機構  ４８…径方向カム部  ４９…解除片部
【図１】
0005451330.tif 000002
【図２】
0005451330.tif 000003
【図３】
0005451330.tif 000004
【図４】
0005451330.tif 000005
【図５】
0005451330.tif 000006
【図６】
0005451330.tif 000007
【図７】
0005451330.tif 000008